(57)【要約】【課題】効果的にＬＯ信号の漏洩信号を検出する。【解決手段】装置２００は、ＲＦ信号入力部２０２、局部発振器（ＬＯ）信号入力部２０４、ＲＦ信号とＬＯ信号を受信してＬＯ信号に基づきＲＦ信号の周波数を変換する第１混合器２１２、タイミング・ストローブ・パルスを供給するストローブ・パルス部２０８、及び漏洩信号とＬＯ信号とタイミング・ストローブ・パルスを受けて漏洩信号の周波数をベースバンドに変換する第２混合器２１６を含む。装置２００は、漏洩信号がこれら混合器の間を通過できるように構成された結合部２０６も含む。出力信号用出力部は、漏洩信号の測定値を提供できる。【選択図】  図２
2014165921.tif 000002
【特許請求の範囲】
【請求項１】
入力信号を受けるように構成された入力信号用入力部と、
局部発振器（ＬＯ）信号を受けるように構成されたＬＯ信号用入力部と、
上記入力信号及び上記ＬＯ信号を受け、上記ＬＯ信号に基づいて上記入力信号の周波数を変換するように構成された第１混合部と、
タイミング・パルスを供給するパルス信号部と、
漏洩信号、上記ＬＯ信号、及び上記タイミング・パルスを受け、さらに上記漏洩信号の周波数をベースバンドに変換するように構成された第２混合部と、
上記漏洩信号を上記第１混合部から上記第２混合部へ通過させるように構成された結合部と、
上記漏洩信号に対応する測定値を提供するように構成された信号出力部とを備えた漏洩信号検出装置。
【請求項２】
上記結合部が上記第１混合部の信号出力側に位置する請求項１に記載の漏洩信号検出装置。
【請求項３】
上記入力信号用入力部と上記第１混合部との間に位置し、ある一定の時間間隔で上記第１混合部から上記入力信号用入力部を切断するように構成されたスイッチを更に備える請求項２に記載の漏洩信号検出装置。
【発明の詳細な説明】
【技術分野】
【０００１】
本発明は、信号を検出するための装置に関し、特に、局部発振器の漏洩信号を検出する装置に関する。
【背景技術】
【０００２】
ゼロＩＦ形式（ＺＩＦ又は直接変換、非特許文献１参照）受信機等の特定形式の中間周波数（ＩＦ）受信機は、一般的に、ラジオ周波数（ＲＦ）入力帯域幅の中心付近に局部発振器（ＬＯ）周波数を有するラジオ周波数（ＲＦ）変換器を含む。このような受信機にとって、ＬＯ周波数とＲＦ周波数は等しくなるか又はほぼ等しくなるため、受信機の入力部から出るＬＯ信号の漏洩が小さいことが重要である。しかし、これは、一般に濾波によりＬＯ信号をＲＦ信号から分離できないために、実現が難しい。
【０００３】
ＲＦ変換器において、ＬＯ信号は、典型的に有意な振幅を有し、混合器には、通常、ＬＯポートから他のポート（例えばＲＦポートとＩＦポート）への限定的な分離がある。直流（ＤＣ）オフセット電流を混合器のＩＦポートに供給することで混合器内の分離を最大化することが可能であり、また、漏洩振幅を最小限にする帰還制御ループの一部として漏洩検出器を用いて、漏洩信号を測定できる。
【０００４】
現在までに、ＲＦ入力部からのＬＯ漏洩を低振幅に維持するために多種多様な回路が開発されている。各案に多少の利点があるが、多くの付随する問題もある。一般に、ＬＯ漏洩電力を測定するために混合器のＲＦポート側に検出器があり、帰還制御ループにより補正信号を生成するために、検出された信号を使用する。
【０００５】
図１は、ＬＯの漏洩検出器の現在使用されている実装１００の例を表している。実際に、図示の回路構成は、特に一般的な漏洩検出器の実装を表している。この例においては、２つの入力ポート（ＲＦ入力ポート１０２とＬＯ入力ポート１０４）と、出力信号ポート１１４に出力信号を供給する混合器１１２とがある。ＲＦ経路中の方向性結合器１０６は、逆進行するＬＯ漏洩信号（ＦＬＯ）の一部を広帯域検波器１０８へ送る。検波された出力信号は、アナログ・デジタル変換器（ＡＤＣ）１１０により測定される。
【先行技術文献】
【特許文献】
【０００６】
【特許文献１】特開２００５−１５１５４３号公報
【非特許文献】
【０００７】
【非特許文献１】ウィキペディア（英語バージョン）の「直接変換受信機」の文献、［on line］、［２０１４年２月１４日検索］、インターネット＜http://en.wikipedia.org/wiki/Direct-conversion_receiver＞
【発明の概要】
【発明が解決しようとする課題】
【０００８】
図１に示した実装が特定の利点を有する一方で（例えば、ＬＯ漏洩信号が通常検出され、帰還制御が継続される）、ＬＯ漏洩信号が一般に広帯域検出器１０８の出力の熱雑音内で失われ、一定の低振幅では典型的に補正がきかない。
【０００９】
したがって、信号検出回路とＬＯ入力部を有する装置とにおいては、改善の必要性が残されたままである。
【課題を解決するための手段】
【００１０】
本発明の実施形態は、一般に、局部発振器（ＬＯ）用の改善された漏洩検出のシステムと装置を含む。実施形態は、概して、制御ループの検出器の部分に関連し、十分な雑音マージンによって低振幅信号を短時間で有利に検出しようとするものである。ある実施形態は、検出時間が短く、広帯域でストローブ・パルス駆動される検出器を含む。
【００１１】
特に、本発明の基本理念を以下に記載する。
【００１２】
本発明の第１基本理念は、入力信号を受けるように構成された入力信号用入力部と；局部発振器（ＬＯ）信号を受けるように構成されたＬＯ信号用入力部と；上記入力信号及び上記ＬＯ信号とを受け、上記ＬＯ信号に基づいて上記入力信号の周波数を変換するように構成された第１混合部と；タイミング（時間合わせされた）パルスを供給するように構成されたパルス信号部と；漏洩信号、上記ＬＯ信号、及び上記タイミング・パルスを受け、さらに上記漏洩信号の周波数をベースバンドに変換するように構成された第２混合部と；上記漏洩信号を上記第１混合部から上記第２混合部へ通過させるように構成された結合部と；上記漏洩信号に対応する測定値を提供するように構成された信号出力部とを備えた装置である。
【００１３】
本発明の第２基本理念は、上記第１基本理念の装置において、上記パルス信号部が上記第２混合部に単一のタイミング・パルスを供給するように構成されることである。 
【００１４】
本発明の第３基本理念は、上記第１基本理念の装置において、上記パルス信号部が上記第２混合部に複数の連続したタイミング・パルスを供給するように構成されることである。
【００１５】
本発明の第４基本理念は、上記第１基本理念の装置において、上記パルス信号部が上記第２混合部に連続した正弦波を供給するように構成されることである。
【００１６】
本発明の第５基本理念は、上記第１基本理念の装置において、上記測定値をデジタル化するように構成されたアナログ・デジタル変換器（ＡＤＣ）を更に備えることである。
【００１７】
本発明の第６基本理念は、上記第１基本理念の装置において、上記測定値の帯域を制限するように構成された低域通過フィルタ（ＬＰＦ）を更に備えることである。
【００１８】
本発明の第７基本理念は、上記第６基本理念の装置において、上記ＬＰＦをアナログ領域またはデジタル領域にて実装できることである。
【００１９】
本発明の第８基本理念は、上記第６基本理念の装置において、上記ＬＰＦとアナログ・デジタル変換器（ＡＤＣ）との間に挿入された包絡線検出器を更に備えることである。
【００２０】
本発明の第９基本理念は、上記第１の基本理念の装置において、上記測定値の帯域を制限するように構成された帯域通過フィルタ（ＢＰＦ）を更に備えることである。
【００２１】
本発明の第１０基本理念は、上記第９基本理念の装置において、上記ＢＰＦをアナログ領域またはデジタル領域にて実装できることである。
【００２２】
本発明の第１１基本理念は、上記第１基本理念の装置において、上記結合部がスイッチを備えることである。
【００２３】
本発明の第１２基本理念は、上記第１基本理念の装置において、上記結合部が方向性結合器を備えることである。
【００２４】
本発明の第１３基本理念は、上記第１基本理念の装置において、上記結合部が電力分割器を備えることである。
【００２５】
本発明の第１４基本理念は、上記第１基本理念の装置において、上記第２混合部が単一の混合器を備えることである。
【００２６】
本発明の第１５基本理念は、上記第１基本理念の装置において、上記混合部が直交用混合器を備えることである。
【００２７】
本発明の第１６基本理念は、上記第１５基本理念の装置において、上記信号用出力部は、上記漏洩信号に対応する他の測定値を供給するように更に構成され、２つの上記測定値が９０度だけ位相シフトされていることである。
【００２８】
本発明の第１７基本理念は、上記第１基本理念の装置において、上記結合部が上記第１混合部の入力信号側に位置することである。
【００２９】
本発明の第１８基本理念は、上記第１基本理念の装置において、上記結合部が上記第１混合部の信号出力側に位置することである。
【００３０】
本発明の第１９基本理念は、上記第１８基本理念の装置において、上記入力信号用入力部と上記第１混合部との間に位置し、ある一定の時間間隔で上記第１混合部から入力された信号入力を切断するように構成されたスイッチを更に含むことである。
【００３１】
本発明の第２０基本理念は、上記第１８基本理念の装置において、上記漏洩信号が一定時間間隔で測定されることである。
【００３２】
本発明の第２１基本理念は、上記第１基本理念の装置において、上記入力信号がラジオ周波数（ＲＦ）信号であることである。
【００３３】
本発明の第２２基本理念は、上記第１基本理念の装置において、上記パルス信号部が上記第２混合部にチョッピング信号を供給するように構成されていることである。
【図面の簡単な説明】
【００３４】
【図１】図１は、漏洩検出器の現在使用されている実装例を示す。
【図２】図２は、本発明のある実施形態による漏洩検出器の第１実装例を示す。
【図３】図３は、本発明のある実施形態による漏洩検出器の第２実装例を示す。
【図４】図４は、本発明のある実施形態による漏洩検出器の第３実装例を示す。
【図５】図５は、本発明のある実施形態による漏洩検出器の第４実装例を示す。
【図６】図６は、本発明のある実施形態による漏洩検出器の第５実装例を示す。
【図７】図７は、本発明のある実施形態による漏洩検出器の第６実装例を示す。
【図８】図８は、本発明のある実施形態による漏洩検出器の第７実装例を示す。
【発明を実施するための形態】
【００３５】
本発明の実施形態は、普通、特定の回路や装置における高速信号検出に適する。一般的に、所定検出速度の信号対雑音比は、現用の実装より格段に良好である。本発明の実施形態は、局部発振器の漏洩ゼロ化回路に漏洩検出器を通常含むが、周波数合成器内のスプリアス信号を減らすための実装のように、他のアプリケーションにも実現可能だと当業者に理解できよう。
【００３６】
本発明の実装は、ラジオ周波数（ＲＦ）入力部を終端する期間中に局部発振器（ＬＯ）の漏洩を漏洩検出器に直接接続するスイッチを通常用いる。漏洩検出器の信号対雑音比（ＳＮＲ）は、方向性結合器が使われる実装よりも一般的に優れている。漏洩検出時の間は、受信機は一般的に動作しない。
【００３７】
漏洩振幅を変調するのを避けるため、混合器のＲＦポート（例えば、ＦＬＯにおいて）で見るインピーダンスは、漏洩検出と通常のＲＦ変換との間で等しく保たれるべきである。これは、ＲＦ減衰器（例えばＲＦ入力振幅が大きい場合）、前置増幅器（例えばＲＦ入力振幅が小さい場合）、又は方向性結合器により確実となる。
【００３８】
図２は、チョッパ変調された漏洩検出器である場合における漏洩検出器の第１実装２００を示す。この例においては、２つの入力ポート（ＲＦ入力ポート２０２とＬＯ入力ポート２０４)と、出力信号ポート２１４にてＩＦ信号等の出力信号を提供する第１混合器２１２とがある。低周波率のＲＦスイッチ２１０又は混合器が低ＲＦチョッピング信号器２０８によって変調したＬＯ入力信号の複製を第２混合器２１６が受ける。
【００３９】
図示の実装２００は、漏洩信号（ＦＬＯ）の不連続なサンプリングを用いる。つまり、漏洩信号を測定するとき、第１スイッチ２０６により、ＲＦ入力２０２が終端に切り替えられると共に、漏洩信号が漏洩検出器に切り替えられる。チョッパ信号器２０８がオンになると、漏洩信号は、第２混合器２１６によってＬＯ信号の複製と混合される。そして、漏洩信号は、第２混合器２１６によりチョッパ周波数の狭帯域スペクトルに変換され、その信号がその後ＡＤＣ２２０によりデジタル化される。実装２００は、漏洩検出での良好なダイナミック・レンジにおいて特によく作用する。
【００４０】
ＬＯ変調のため、この方法は、スイッチ２０６を除去し、及び／又は図１の方向性結合器１０６等の方向性結合器の使用を可能とすることにより、広帯域ＲＦ信号又はブロードバンド・ノイズがある状態でＬＯを抽出することができる。
【００４１】
図３は、本発明の実施形態により、包絡線検出を伴うと共にストローブ・パルスで駆動される漏洩検出器の場合の漏洩検出器の第２実装３００を示す。この第２実装３００は、２つの入力ポート（ＲＦ入力ポート３０２とＬＯ入力ポート３０４）、出力信号ポート３１４で中間周波数（ＩＦ）信号等の出力信号を供給する第１混合器３１２、及びチョッパ・スイッチ３１０を含む点で、図２に示す第１実装２００と類似している。
【００４２】
しかし、第１実装２００とは異なり、ここで示した実装３００においては、チョッピング信号器２０８は、ストローブ・パルス信号器３０８と置換される。さらに、上述から判るように、実装３００は包絡線検出器３２０を含む。
【００４３】
例えば、ストローブ・パルス信号３０８の幅は、チョッパ・スイッチ３１０のタイミング条件に、安定した振幅用の保持時間を加えた要件を満足するように設定できる。チョッパ出力スペクトラムは、一般に漏洩信号（ＦＬＯ）周囲に密集している。もしチョッパ・スイッチ３１０の立ち上がり時間と立ち下り時間がストローブ・パルス３０８の幅より格段に速いと、出力スペクトラムは概してｓｉｎ（ｘ）／ｘとなる。もしパルス幅がｔｒ＋ｔｆよりあまり広くない場合、出力スペクトラムは、立ち上がる余弦に類似する。電力の大部分は、ｆ＝１／Ｔ (方形パルスの場合)の複数の第１ヌルの間に存在する。なお、Ｔは、ストローブ・パルス３０８の幅である。
【００４４】
第２混合器３１６は、スロトーブＬＯ信号と漏洩スイッチ３０６から受けた漏洩信号とを組合せる。出力スペクトラムは、一般に、ＤＣから１／Ｔのスペクトラム中にほとんど存在して集まっている。第２混合器３１６の非直線性により、混合器の出力スペクトラムは、一般に入力スペクトラムと同じ形状ではないが、電力の大部分は、ＤＣからｆ＝１／Ｔへの帯域幅中に存在する。
【００４５】
オプションとしての低域通過フィルタ（ＬＰＦ）３１８を用いて、良好なＳＮＲを維持するために、検出器が測定するものを帯域制限できる。その帯域幅は、ｆ＝１／Ｔ（又は遮断周波数付近）に一般的に設定されるべきであり、またＤＣエラーを防ぐために、高域通過カットオフが十分に低い周波数でさえあれば、高域通過フィルタ（図示しない）も使用することができる。
【００４６】
包絡線検出器３２０の出力信号が定常状態であるときに、アナログ・デジタル変換器（ＡＤＣ）３２２が単一サンプルを得る。この検出器の時定数は、時定数を優先するフィルタより高速である必要はない。事実、この検出器そのものは、低域通過濾波を行う装置である。
【００４７】
ある実装では、チョッパ・スイッチ３１０の立ち上がり時間と立ち下がり時間は、２０ナノ秒である。ストローブ・パルス３０８の幅は６０ナノ秒で、検出器の帯域幅は１６ＭＨｚである。このような実施形態において、漏洩検出の振幅は−９０ｄＢｍ以下で測定され、検出時間の間隔は２００ナノ秒以下となる。
【００４８】
図４は、本発明のある実施形態により、ＡＤＣ検出を有しストローブ・パルス駆動される漏洩検出器である場合の漏洩検出器の第３実装４００を示す。この第３実装４００は、２つの入力ポート（ＲＦ入力部ポート４０２とＬＯ入力ポート４０４）、出力信号ポート４１４で出力信号を供給する第１混合器４１２、漏洩スイッチ４０６、ストローブ・パルス信号器４０８、チョッパ・スイッチ４１０、及び漏洩混合器４１６を含むという点で、図３に示された第２実装３００に類似している。
【００４９】
しかし、第２実装３００とは異なり、ここで示した実装４００においては、包絡線検出器３２０が取り除かれ、ＡＤＣ４２２がＬＰＦ４１８の出力波形をデジタル化する。この例において、ストローブ・パルスに時間的に合わせて配置された唯一のＡＤＣサンプルが必要である。しかし、ストローブ・パルス時の期間中に取り込まれる少しのＡＤＣサンプルが雑音抑制に有効である。
【００５０】
漏洩検出器用混合器４１６において、スイッチがオン時間中、漏洩（ＦＬＯ）が両方の入力部に存在する。チョッピングされたＬＯと漏洩ＬＯ信号との位相分離は、一般には、混合結果がゼロに近い出力振幅にならないようにする。
【００５１】
図５は、本発明のある実施形態により、ストローブ・パルスで駆動される漏洩検出器が直交検波を用いる場合の漏洩検出器の第４実装５００を示す。この第４実装５００は、２つの入力ポート（ＲＦ入力ポート５０２とＬＯ入力ポート５０４)、出力信号ポート５１４にて出力信号を供給する第１混合器５１２、漏洩スイッチ５０６、ストローブ・パルス信号器５０８、及びチョッパ・スイッチ５１０を含むという点で、図３と図４に夫々示された第２実装３００と第３実装４００に類似している。
【００５２】
しかし、第２実装３００及び第３実装４００と異なり、ここに示した実装５００は、２つの漏洩混合器５１６及び５１７と、それぞれ対応するＬＰＦ５１８及び５１９とを有する。漏洩変換は、２つのチャンネルに分けられ、一方のチャンネルへのＬＯ信号は、他方チャンネルから９０度だけ位相シフトしている。さらに、２つのＡＤＣ５２２（Ｉ）と５２３（Ｑ）を用いて、それぞれフィルタ５１８と５１９からの出力波形をデジタル化する。このように、漏洩変換は、同位相チャンネルと直交チャンネルを用いて実行され、検出された振幅は、一般にそれぞれＡＤＣ５２２と５２３からのＩ値とＱ値の２乗和根となる。
【００５３】
いくつかのマイクロ波受信機では、入力スイッチが「通過」位置のときに対して「検出」位置のとき、混合器のＲＦポートにて適当なインピーダンス整合を期待できない。このような状況において、ストローブ・パルスで駆動される受信機と方向性結合器が統合される。このようにストローブされる受信機は、検出されたノイズ帯域を小さく保ち、結合器は、混合器ＲＦポートでの一定のマッチングを可能とする。
【００５４】
図６は、直交用検波器と方向性結合器を用い、ストローブ・パルスで駆動される漏洩検出器の一例を示す。この実装６００は、２つの入力ポート（ＲＦ入力ポート６０２とＬＯ入力ポート６０４）、出力信号ポート６１４にて出力信号を供給する第１混合器６１２、漏洩スイッチ６０６、ストローブ・パルス信号器６０８、チョッパ・スイッチ６１０、２つの漏洩混合器６１６と６１７、２つのＬＰＦ６１８と６１９、そして２つのＡＤＣ６２２と６２３を含むという点で、図５に示した第４実装５００と類似している。
【００５５】
しかし、第４実装５００と異なり、ここで示した実装６００では、漏洩スイッチ５０６が除去され、方向性結合器６０６に置き換わっている。特定の状況、例えば、ＬＰＦ６１８と６１９、又はＡＤＣ６２２と６２３の後段のデジタル・フィルタにおいて漏洩をＲＦ信号から濾波できるように、ＩＦがゼロでないときや十分な分離があるときに、上述の配置が特に有利である。
【００５６】
図７は、本発明のある実施形態により、ＩＦ経路における漏洩を検出しストローブ・パルスで駆動される漏洩検出器の場合における漏洩検出器の第６実装７００を示す。この第６実装７００は、２つの入力ポート（ＲＦ入力ポート７０２とＬＯ入力ポート７０４）、出力信号ポート７１４に出力信号を供給する第１混合器７１２、漏洩スイッチ７０６、ストローブ・パルス信号器７０８、チョッパ・スイッチ７１０、２つの漏洩混合器７１６と７１７、２つのＬＰＦ７１８と７１９、そして２つのＡＤＣ７２２（Ｉ）と７２３（Ｑ）を含むという点で、図６に示す第５実装６００と類似している。
【００５７】
しかし、第５実装６００とは異なり、漏洩スイッチ７０６は、回路のＩＦ側（すなわち、第１混合器７１２の出力側）に位置する。ある状況、例えば、ＩＦの周波数がＬＯ周波数と近いスペクトルを有するとき、上述の配置が特に有利である。例として、ＲＦが漏洩混合器７１２から切断されるとき、ある時間間隔で漏洩が測定される。この状況は、他のスイッチ７０７によって達成できる。測定されたものは、混合器ダイオードを駆動するＤＣバイアス電流の如くＬＯゼロ化回路（図示しない）に帰還される。
【００５８】
図８は、本発明の実施形態による漏洩検出器の第７実装８００を示す。この第７実装８００は、２つの入力ポート（ＲＦ入力ポート８０２とＬＯ入力ポート８０４）、出力信号ポート８１４に出力信号を供給する第１混合器８１２、漏洩スイッチ８０６、ストローブ・パルス信号器８０８、チョッパ・スイッチ８１０、２つの漏洩混合器８１６と８１７、２つのＬＰＦ８１８と８１９、そして２つのＡＤＣ８２２と８２３を含む点で、図７に示された第６実装７００と類似している。
【００５９】
しかし、第６実装７００と異なり、ここで図示した実装８００では、漏洩スイッチ７０６が除去され、方向性結合器８０６に置換されている。この実施態様において、漏洩は、常に測定できるが、ある一定の低い周波数又はゼロ付近の周波数においてＲＦ信号から分離できない。しかしこのような状況の中で、例えば、かかる信号が単一又は複数の送信元に存在しない時に、一定の時間間隔で漏洩を測定できる。
【００６０】
図示した実施形態に関連して本願発明の原理を説明及び図示したが、図示した実施形態は、かかる原理から逸脱することなく配置や詳細において変更可能であり、任意の所望方法において組み合わせ可能であることが理解できよう。そして、上述の説明は特定の実施形態に焦点を合わせたものであるが、他の構成も可能である。特に、「本発明の実施形態により」などの表現をここで使用したが、これらの文言は一般的な実施形態の可能性を意味するものであり、特定の実施形態の構成に本発明を制限することを意図するものではない。ここに使用されたように、これらの用語は、他の実施形態と組み合わせ可能な同一又は異なる実施形態を参照することもある。
【００６１】
したがって、ここに記載した実施形態に対する非常に広範な変更を考慮して、詳細な説明及び付随資料は、例示目的のみを意図するものであって、本発明の範囲を制限するようにとらえられるべきではない。したがって、本発明として権利請求されるものは、以下の請求項の範囲とその精神内に入る全てのかかる変更及びそれらの均等物である。
【符号の説明】
【００６２】
２００…漏洩検出器
２０２…ＲＦ入力ポート
２０４…ＬＯ入力ポート
２０６…第１スイッチ
２０８…チョッピング信号源
２１０…ＲＦスイッチ
２１２…第１混合器
２１４…出力信号ポート
２１６…第２混合器
２１８…帯域通過フィルタ
２２０…ＡＤＣ
３００…漏洩検出器
３０２…ＲＦ入力ポート
３０４…ＬＯ入力ポート
３０６…漏洩スイッチ
３０８…ストローブ・パルス信号源
３１０…チョッパ・スイッチ
３１２…第１混合器
３１４…出力信号ポート
３１６…第２混合器
３１８…低域通過フィルタ
３２０…包絡線検波器
３２２…ＡＤＣ
４００…漏洩検出器
４０２…ＲＦ入力ポート
４０４…ＬＯ入力ポート
４０６…漏洩スイッチ
４０８…ストローブ・パルス信号源
４１０…チョッパ・スイッチ
４１２…第１混合器
４１４…出力信号ポート
４１６…第２混合器
４１８…低域通過フィルタ
４２２…ＡＤＣ
５００…漏洩検出器
５０２…ＲＦ入力ポート
５０４…ＬＯ入力ポート
５０６…漏洩スイッチ
５０８…ストローブ・パルス信号源
５１０…チョッパ・スイッチ
５１２…第１混合器
５１４…出力信号ポート
５１６…漏洩混合器
５１７…漏洩混合器
５１８…低域通過フィルタ
５１９…低域通過フィルタ
５２２…ＡＤＣ
５２３…ＡＤＣ
６００…漏洩検出器
６０２…ＲＦ入力ポート
６０４…ＬＯ入力ポート
６０６…方向性結合器
６０８…ストローブ・パルス信号源
６１０…チョッパ・スイッチ
６１２…第１混合器
６１４…出力信号ポート
６１６…漏洩混合器
６１７…漏洩混合器
６１８…低域通過フィルタ
６１９…低域通過フィルタ
６２２…ＡＤＣ
６２３…ＡＤＣ
７００…漏洩検出器
７０２…ＲＦ入力ポート
７０４…ＬＯ入力ポート
７０６…漏洩スイッチ
７０７…スイッチ
７０８…ストローブ・パルス信号源
７１０…チョッパ・スイッチ
７１２…第１混合器
７１４…出力信号ポート
７１６…漏洩混合器
７１７…漏洩混合器
７１８…低域通過フィルタ
７１９…低域通過フィルタ
７２２…ＡＤＣ
７２３…ＡＤＣ
８００…漏洩検出器
８０２…ＲＦ入力ポート
８０４…ＬＯ入力ポート
８０６…方向性結合器
８０８…ストローブ・パルス信号源
８１０…チョッパ・スイッチ
８１２…第１混合器
８１４…出力信号ポート
８１６…漏洩混合器
８１７…漏洩混合器
８１８…低域通過フィルタ
８１９…低域通過フィルタ
８２２…ＡＤＣ
８２３…ＡＤＣ
【図１】
2014165921.tif 000003
【図２】
2014165921.tif 000004
【図３】
2014165921.tif 000005
【図４】
2014165921.tif 000006
【図５】
2014165921.tif 000007
【図６】
2014165921.tif 000008
【図７】
2014165921.tif 000009
【図８】
2014165921.tif 000010
【外国語明細書】
2014165921.tif 000011
2014165921.tif 000012
2014165921.tif 000013
2014165921.tif 000014
2014165921.tif 000015
2014165921.tif 000016
2014165921.tif 000017
2014165921.tif 000018
2014165921.tif 000019
2014165921.tif 000020
2014165921.tif 000021
2014165921.tif 000022
2014165921.tif 000023
2014165921.tif 000024
2014165921.tif 000025
2014165921.tif 000026
2014165921.tif 000027
2014165921.tif 000028
2014165921.tif 000029
2014165921.tif 000030
2014165921.tif 000031
2014165921.tif 000032
2014165921.tif 000033